(57)【要約】【課題】フェムトセルに優先的に在圏する。【解決手段】本発明に係る移動局ＵＥは、マクロセルＩＤとマクロセル用スクランブルコードとを含む待受マクロセル情報及びフェムトセルＩＤとフェムトセル用スクランブルコードとを含む待受フェムトセル情報を管理する待受セル情報管理部１１と、待受マクロセル情報に含まれるマクロセルＩＤ及びマクロセル用スクランブルコードを用いたマクロセル用待受処理及び待受フェムトセル情報に含まれるフェムトセルＩＤ及びフェムトセル用スクランブルコードを用いたフェムトセル用待受処理を行う待受処理部１５と、所定操作が検知された場合には、待受フェムトセル情報の更新周期が到来する前であっても、待受フェムトセル情報を更新する一方、待受マクロセル情報の更新周期が到来する前には、待受マクロセル情報を更新しない待受セル情報更新部１４とを具備する。【選択図】図４
2011010207.tif 000002
【特許請求の範囲】
【請求項１】
マクロセルＩＤとマクロセル用スクランブルコードとを含む待受マクロセル情報、及び、フェムトセルＩＤとフェムトセル用スクランブルコードとを含む待受フェムトセル情報を管理するように構成されている待受セル情報管理部と、
前記待受マクロセル情報に含まれる前記マクロセルＩＤ及び前記マクロセル用スクランブルコードを用いたマクロセル用待受処理、及び、前記待受フェムトセル情報に含まれる前記フェムトセルＩＤ及び前記フェムトセル用スクランブルコードを用いたフェムトセル用待受処理を行うように構成されている待受処理部と、
前記待受マクロセル情報の更新周期、及び、前記待受フェムトセル情報の更新周期を管理するように構成されている更新周期管理部と、
所定操作を検知するように構成されている所定操作検知部と、
前記所定操作が検知された場合には、前記待受フェムトセル情報の更新周期が到来する前であっても、該待受フェムトセル情報を更新する一方、前記待受マクロセル情報の更新周期が到来する前には、該待受マクロセル情報を更新しないように構成されている待受セル情報更新部とを具備することを特徴とする移動局。
【請求項２】
前記待受マクロセル情報は、更に、マクロセル用周波数ＩＤを含み、前記待受フェムトセル情報は、更に、フェムトセル用周波数ＩＤを含むように構成されていることを特徴とする請求項１に記載の移動局。
【請求項３】
前記待受セル情報更新部は、前記所定操作が検知された場合に、前記待受フェムトセル情報の更新周期が到来する前であっても、ネットワーク装置からの更新情報に応じて、該待受フェムトセル情報を更新するように構成されていることを特徴とする請求項１又は２に記載の移動局。
【発明の詳細な説明】
【技術分野】
【０００１】
本発明は、移動局、特に、フェムトセルにおいて通信可能な移動局に関する。
【背景技術】
【０００２】
近年、移動通信システムにおいて、半径数百ｍ〜十数ｋｍの大きさの「マクロセル」において通信サービスを提供する既存のマクロセル用無線基地局に加えて、半径数十ｍ程度の極めて小さな大きさの「フェムトセル」において通信サービスを提供するフェムトセル用無線基地局が設置されることが検討されている。
【０００３】
このようなフェムトセル用無線基地局は、通信事業者によって設置されるのではなく、通信事業者の加入者によって設置されることが想定されている。
【０００４】
そのため、通常、マクロセルの周波数帯域は、当該マクロセル配下の多数の移動局によって共用されるのに対して、フェムトセル用無線基地局を設置した加入者は、フェムトセルの周波数帯域を占有することができる。
【０００５】
また、かかるフェムトセル用無線基地局は、専用線ではなく、かかる加入者のユーザ回線を用いて、通信事業者のコアネットワークに接続されることが想定されているため、通信事業者における設備負担を軽減することができ、かかる加入者の通信料金の低廉化を実施することができる。
【先行技術文献】
【特許文献】
【０００６】
【特許文献１】特開２００６-１２８７７９号公報
【発明の概要】
【発明が解決しようとする課題】
【０００７】
しかしながら、現在の移動通信システムで用いられている移動局では、優先的に、フェムトセルに在圏するための機能が具備されていないため、上述の加入者の移動局が、フェムトセルに在圏することができるエリアにいる場合であっても、フェムトセルを介した通信サービスを利用することができない場合があるという問題点があった。
【０００８】
そこで、本発明は、上述の課題に鑑みてなされたものであり、フェムトセルに優先的に在圏することができる移動局を提供することを目的とする。
【課題を解決するための手段】
【０００９】
本発明の第１の特徴は、移動局であって、マクロセルＩＤとマクロセル用スクランブルコードとを含む待受マクロセル情報、及び、フェムトセルＩＤとフェムトセル用スクランブルコードとを含む待受フェムトセル情報を管理するように構成されている待受セル情報管理部と、前記待受マクロセル情報に含まれる前記マクロセルＩＤ及び前記マクロセル用スクランブルコードを用いたマクロセル用待受処理、及び、前記待受フェムトセル情報に含まれる前記フェムトセルＩＤ及び前記フェムトセル用スクランブルコードを用いたフェムトセル用待受処理を行うように構成されている待受処理部と、前記待受マクロセル情報の更新周期、及び、前記待受フェムトセル情報の更新周期を管理するように構成されている更新周期管理部と、所定操作を検知するように構成されている所定操作検知部と、前記所定操作が検知された場合には、前記待受フェムトセル情報の更新周期が到来する前であっても、該待受フェムトセル情報を更新する一方、前記待受マクロセル情報の更新周期が到来する前には、該待受マクロセル情報を更新しないように構成されている待受セル情報更新部とを具備することを要旨とする。
【発明の効果】
【００１０】
以上説明したように、本発明によれば、フェムトセルに優先的に在圏することができる移動局を提供することができる。
【図面の簡単な説明】
【００１１】
【図１】本発明の第１の実施形態に係る移動通信システムの全体構成図である。
【図２】本発明の第１の実施形態に係る移動局の機能ブロック図である。
【図３】本発明の第１の実施形態に係る移動局の待受セル情報管理部によって管理されている待受セル情報の一例を示す図である。
【図４】本発明の第１の実施形態に係る移動局の動作を示すフローチャートである。
【発明を実施するための形態】
【００１２】
（本発明の第１の実施形態に係る移動通信システムの構成）
図１乃至図３を参照して、本発明の第１の実施形態に係る移動通信システムの構成について説明する。
【００１３】
図１に示すように、本実施形態に係る移動通信システムは、ネットワーク装置１０と、マクロセル＃Ａにおいて通信サービスを提供するマクロセル用無線基地局ＮＢ＃Ａと、マクロセル＃Ｂにおいて通信サービスを提供するマクロセル用無線基地局ＮＢ＃Ｂと、フェムトセル＃１において通信サービスを提供するフェムトセル用無線基地局ＮＢ＃１と、フェムトセル＃２において通信サービスを提供するフェムトセル用無線基地局ＮＢ＃２とを具備している。
【００１４】
本実施形態に係る移動通信システムが、ＷＣＤＭＡ方式の移動通信システムである場合には、ネットワーク装置１０は、無線制御局ＲＮＣであってもよいし、コアネットワークとの間のゲートウェイ装置であってもよい。
【００１５】
また、本実施形態に係る移動通信システムが、ＬＴＥ（Ｌｏｎｇ  Ｔｅｒｍ  Ｅｖｏｌｕｔｉｏｎ）方式の移動通信システムである場合には、ネットワーク装置１０は、交換局ＭＭＥであってもよいし、コアネットワークとの間のゲートウェイ装置であってもよい。
【００１６】
また、マクロセル用無線基地局ＮＢ＃Ａ及びＮＢ＃Ｂ、及び、フェムトセル用無線基地局ＮＢ＃１及びＮＢ＃２は、ＷＣＤＭＡ方式の移動通信システムで用いられるものであってもよいし、ＬＴＥ方式の移動通信システムで用いられるものであってもよい。
【００１７】
移動局ＵＥは、図２に示すように、待受セル情報管理部１１と、更新周期管理部１２と、所定操作検知部１３と、待受セル情報更新部１４と、待受処理部１５とを具備している。
【００１８】
待受セル情報管理部１１は、図３（ａ）に示すように、「フェムトセル用周波数ＩＤ、すなわち、フェムトセル用ＦＩＤ（ｆ１、ｆ２）」と「フェムトセル用スクランブルコード（ＳＣ１、ＳＣ２）」と「フェムトセルＩＤ（＃１、＃２）」とを関連付ける複数の待受フェムトセル情報を管理するように構成されている。
【００１９】
また、待受セル情報管理部１１は、図３（ｂ）に示すように、「マクロセル用周波数ＩＤ、すなわち、マクロセル用ＦＩＤ（ｆ１０、ｆ２０）」と「マクロセル用スクランブルコード（ＳＣ１０、ＳＣ２０）」と「マクロセルＩＤ（＃Ａ、＃Ｂ）」とを関連付ける複数の待受マクロセル情報を管理するように構成されている。
【００２０】
待受セル情報管理部１１は、図３（ａ）及び図３（ｂ）に示すように、待受フェムトセル情報及び待受マクロセル情報を、別々のテーブルで管理するように構成されていてもよいし、同一のテーブルで管理するように構成されていてもよい。
【００２１】
「フェムトセルＩＤ」は、待受対象のフェムトセルを特定するための情報であり、「マクロセルＩＤ」は、待受対象のマクロセルを特定するための情報である。各セルを識別するための「フェムトセルＩＤ」及び「マクロセルＩＤ」は、それぞれ、ユニークであり、固定値である。
【００２２】
「フェムトセル用スクランブルコード」は、待受対象のフェムトセル（すなわち、「フェムトセルＩＤ」によって特定されるセル）で用いられるスクランブルコードを特定するための情報であり、「マクロセル用スクランブルコード」は、待受対象のマクロセル（すなわち、「マクロセルＩＤ」によって特定されるセル）で用いられるスクランブルコードを特定するための情報である。
【００２３】
各セルで用いられる「フェムトセル用スクランブルコード」及び「マクロセル用スクランブルコード」は、それぞれ、コアネットワーク又はネットワーク装置１０によって、各セルに対して割り当てられるものであり、可変である。
【００２４】
「フェムトセル用周波数ＩＤ」は、待受対象のフェムトセル（すなわち、「フェムトセルＩＤ」によって特定されるセル）で用いられる周波数を特定するための情報であり、「マクロセル用周波数ＩＤ」は、待受対象のマクロセル（すなわち、「マクロセルＩＤ」によって特定されるセル）で用いられる周波数を特定するための情報である。ここで、「フェムトセル用周波数ＩＤ」及び「マクロセル用周波数ＩＤ」は、コアネットワーク又はネットワーク装置１０によって、各セルに対して割り当てられるものであり、可変である。
【００２５】
なお、マクロセルで用いられる周波数群とフェムトセルで用いられる周波数群とが異なるように管理されていてもよい。同様に、マクロセルで用いられるスクランブルコード群とフェムトセルで用いられるスクランブルコード群とが異なるように管理されていてもよい。
【００２６】
また、待受セル情報管理部１１は、待受フェムトセル情報内に、「フェムトセル用周波数ＩＤ」或いは「フェムトセル用スクランブルコード」を含まないように構成されていてもよい。
【００２７】
更新周期管理部１２は、待受マクロセル情報の更新周期、及び、待受フェムトセル情報の更新周期を管理するように構成されている。
【００２８】
ここで、待受フェムトセル情報の更新周期は、待受マクロセル情報の更新周期よりも長くてもよいし、同じであってもよい。
【００２９】
所定操作検知部１３は、所定操作を検知するように構成されている。例えば、所定操作検知部１３は、所定操作として、ユーザによる所定画面における所定ボタンの押下操作等を検知するように構成されている。
【００３０】
待受セル情報更新部１４は、待受フェムトセル情報の更新周期が到来した場合に、待受セル情報管理部１１によって管理されている待受フェムトセル情報を更新するように構成されており、待受マクロセル情報の更新周期が到来した場合に、待受セル情報管理部１１によって管理されている待受マクロセル情報を更新するように構成されている。
【００３１】
具体的には、待受セル情報更新部１４は、ネットワーク装置１０からの更新情報に応じて、待受セル情報管理部１１によって管理されている待受フェムトセル情報及び待受マクロセル情報を更新するように構成されている。
【００３２】
なお、待受セル情報更新部１４は、所定操作検知部１３によって所定操作が検知された場合には、待受フェムトセル情報の更新周期が到来する前であっても、待受セル情報管理部１１によって管理されている待受フェムトセル情報を更新する一方、待受マクロセル情報の更新周期が到来する前には、待受セル情報管理部１１によって管理されている待受マクロセル情報を更新しないように構成されている。
【００３３】
待受処理部１５は、所定タイミングで、待受マクロセル情報に含まれる「マクロセルＩＤ（＃１、＃２）」及び「マクロセル用スクランブルコード（ＳＣ１、ＳＣ２）」を用いたマクロセル用待受処理、及び、待受フェムトセル情報に含まれる「フェムトセルＩＤ（＃Ａ、＃Ｂ）」「フェムトセル用スクランブルコード（ＳＣ１０、ＳＣ２０）」を用いたフェムトセル用待受処理を行うように構成されている。
【００３４】
（本発明の第１の実施形態に係る移動通信システムの動作）
図４を参照して、本発明の第１の実施形態に係る移動通信システムにおいて、マクロセルにおいて待ち受けを行っている移動局ＵＥの動作について説明する。
【００３５】
図４に示すように、ステップＳ１０１において、待受フェムトセル情報の更新周期が到来した場合には、本動作は、ステップＳ１０３に進み、それ以外の場合には、本動作は、ステップＳ１０２に進む。
【００３６】
ステップＳ１０２において、所定操作検知部１３は、所定操作を検知した場合には、本動作は、ステップＳ１０３に進み、それ以外の場合には、本動作は、ステップＳ１０１に戻る。
【００３７】
ステップＳ１０３において、待受セル情報更新部１４は、ネットワーク装置１０からの更新情報に応じて、待受セル情報管理部１１によって管理されている待受フェムトセル情報を更新する。
【００３８】
ここで、ネットワーク装置１０は、移動局ＵＥの位置情報（例えば、ＧＰＳ情報等）に応じて、移動局ＵＥが待ち受け可能なセルに係る情報に基づいて、待受フェムトセル情報及び待受マクロセル情報の更新情報を決定して、報知情報によって、移動局ＵＥに対して送信するように構成されている。
【００３９】
（本発明の第１の実施形態に係る移動通信システムの作用・効果）
本発明の第１の実施形態に係る移動通信システムで用いられる移動局ＵＥによれば、待受処理部１５が、マクロセルにおいて待ち受けを行っている場合であっても、所定タイミングで、待受フェムトセル情報に含まれる「セルＩＤ（＃１、＃２）」及び「フェムトセル用スクランブルコード（ＳＣ１、ＳＣ２）」を用いた待受処理を行うように構成されているため、フェムトセルに優先的に在圏することができる。
【００４０】
本発明の第１の実施形態に係る移動通信システムで用いられる移動局ＵＥによれば、所定操作検知部１３によって所定操作が検知された場合には、待受セル情報更新部１４が、待受フェムトセル情報の更新周期が到来する前であっても、待受セル情報管理部１１によって管理されている待受フェムトセル情報を更新するように構成されているため、移動局ＵＥのユーザが、帰宅した場合等に、自宅に設置されているフェムトセルに係る情報を、早急に、待受セル情報管理部１１に管理させ、移動局ＵＥは、かかるフェムトセルに在圏することができる。
【００４１】
以上に述べた本実施形態の特徴は、以下のように表現されていてもよい。
【００４２】
本実施形態の第１の特徴は、移動局ＵＥであって、「マクロセルＩＤ（＃１、＃２）」と「マクロセル用スクランブルコード（ＳＣ１、ＳＣ２）」とを含む待受マクロセル情報、及び、「フェムトセルＩＤ（＃Ａ、＃Ｂ）」と「フェムトセル用スクランブルコード（ＳＣ１０、ＳＣ２０）」とを含む待受フェムトセル情報を管理するように構成されている待受セル情報管理部１１と、待受マクロセル情報に含まれる「マクロセルＩＤ（＃１、＃２）」及び「マクロセル用スクランブルコード（ＳＣ１、ＳＣ２）」を用いたマクロセル用待受処理、及び、待受フェムトセル情報に含まれる「フェムトセルＩＤ（＃Ａ、＃Ｂ）」「フェムトセル用スクランブルコード（ＳＣ１０、ＳＣ２０）」を用いたフェムトセル用待受処理を行うように構成されている待受処理部１５と、待受マクロセル情報の更新周期、及び、待受フェムトセル情報の更新周期を管理するように構成されている更新周期管理部１２と、所定操作を検知するように構成されている所定操作検知部１３と、所定操作が検知された場合には、待受フェムトセル情報の更新周期が到来する前であっても、待受フェムトセル情報を更新する一方、待受マクロセル情報の更新周期が到来する前には、待受マクロセル情報を更新しないように構成されている待受セル情報更新部１４とを具備することを要旨とする。
【００４３】
本実施形態の第１の特徴において、待受フェムトセル情報は、更に、「フェムトセル用周波数ＩＤ（ｆ１、ｆ２）」を含み、待受マクロセル情報は、更に、「マクロセル用周波数ＩＤ（ｆ１０、ｆ２０）」を含むように構成されていてもよい。
【００４４】
本実施形態の第１の特徴において、待受セル情報更新部１４は、所定操作が検知された場合に、待受フェムトセル情報の更新周期が到来する前であっても、ネットワーク装置１０からの更新情報に応じて、待受フェムトセル情報を更新するように構成されていてもよい。
【００４５】
なお、上述の移動局ＵＥや無線基地局ＮＢやネットワーク装置１０の動作は、ハードウェアによって実施されてもよいし、プロセッサによって実行されるソフトウェアモジュールによって実施されてもよいし、両者の組み合わせによって実施されてもよい。
【００４６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮＢやネットワーク装置１０内に設けられていてもよい。また、かかる記憶媒体及びプロセッサは、ディスクリートコンポーネントとして移動局ＵＥや無線基地局ＮＢやネットワーク装置１０内に設けられていてもよい。
【００４８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４９】
１０…ネットワーク装置
ＵＥ…移動局
１１…待受セル情報管理部
１２…更新周期管理部
１３…所定操作検知部
１４…待受セル情報更新部
１５…待受処理部
【図１】
2011010207.tif 000003
【図２】
2011010207.tif 000004
【図３】
2011010207.tif 000005
【図４】
2011010207.tif 000006